【手続補正書】
【提出日】平成15年6月11日(2003.6.11)
【手続補正１】
【補正対象書類名】明細書
【補正対象項目名】特許請求の範囲
【補正方法】変更
【補正の内容】
【特許請求の範囲】
【請求項１】
第１ネットワークにアタッチできる少なくとも１つの第１ネットワーク要素を備え、この第１ネットワーク要素は、上記第１ネットワークの第２ネットワーク要素に接続することができ、この第２ネットワーク要素は、第２ネットワークに配置された第３ネットワーク要素にアクセスすることができる通信システムにおいて、
上記第１ネットワーク要素は、第１メッセージを上記第２ネットワーク要素へ送信して上記第１ネットワークの第４ネットワーク要素に接続されるようにし、
上記第２ネットワーク要素は、第２メッセージを上記第３ネットワーク要素へ送信し、この第２メッセージは、上記第１ネットワーク要素から上記第４ネットワーク要素への接続の取り扱いに関連した付加的な情報を含み、そして
上記第３ネットワーク要素は、上記付加的な情報を使用して接続を取り扱うように構成された通信システム。
【請求項２】
第１ネットワークにアタッチできる少なくとも１つの第１ネットワーク要素を備え、この第１ネットワーク要素は、上記第１ネットワークの第２ネットワーク要素に接続することができ、この第２ネットワーク要素は、第２ネットワークに配置された第３ネットワーク要素にアクセスすることができる通信システムにおいて、
上記第１ネットワーク要素は、第１メッセージを上記第２ネットワーク要素へ送信して、上記第１ネットワークに登録するか、或いはその第１ネットワークの第３ネットワーク要素又は第４ネットワーク要素に接続されるようにし、
上記第２ネットワーク要素は、第２メッセージを上記第３ネットワーク要素へ送信し、この第２メッセージは、上記第１ネットワーク要素から上記第４ネットワーク要素への接続の取り扱い又は処理に関連するか、或いは上記第１ネットワークの更に別のネットワーク要素のアドレス又はそれを識別する識別子に関連した付加的な情報を含み、上記更に別のネットワーク要素は、上記第４ネットワーク要素への接続の取り扱い又は処理に関連した情報より成るデータベースを含むか又はそれにアクセスすることができ、そして
上記第３ネットワーク要素は、上記付加的な情報を使用して、接続を取り扱うか又は１つ以上の接続関連ファンクションを処理し、又は更に別のネットワーク要素にアクセスし、或いは上記付加的な情報を記憶しそして要求に応じてそれを供給するように構成された通信システム。
【請求項３】
上記メッセージは、プロトコルメッセージである請求項２に記載の通信システム。
【請求項４】
上記プロトコルは、セッション開始プロトコル（ＳＩＰ）である請求項３に記載の通信システム。
【請求項５】
上記プロトコルメッセージは、「インバイト」又は「レジスター」メッセージである請求項３又は４に記載の通信システム。
【請求項６】
上記第１ネットワーク要素は、ローミング中ユーザのユーザ装置である請求項２ないし５のいずれかに記載の通信システム。
【請求項７】
上記第２ネットワーク要素は、プロキシサーバー、好ましくは、第１ネットワークのプロキシＣＳＣＦである請求項２ないし６のいずれかに記載の通信システム。
【請求項８】
上記第２ネットワーク要素は、訪問先ネットワークにおけるリダイレクションサーバーであり、このリダイレクションサーバーは、上記第３ネットワーク要素を指す情報を記憶する請求項２ないし７のいずれかに記載の通信システム。
【請求項９】
上記リダイレクションサーバーは、実際のコールが設定されそして上記第１ネットワーク要素が第１メッセージをそのリダイレクションサーバーへ送信するときに、上記第３ネットワーク要素を指す情報を返送し、そして上記第１ネットワーク要素は、第１メッセージを第３ネットワーク要素に再送信するように構成された請求項８に記載の通信システム。
【請求項１０】
上記第３ネットワーク要素は、上記第２ネットワークの制御手段である請求項２ないし９のいずれかに記載の通信システム。
【請求項１１】
上記第２ネットワークの制御手段は、サービングＣＳＣＦである請求項１０に記載の通信システム。
【請求項１２】
上記第３ネットワーク要素は、第２ネットワークに対する加入者に関する情報を記憶するレジスターであるか又はそれを備えている請求項２ないし９のいずれかに記載の通信システム。
【請求項１３】
上記レジスターは、ホーム位置レジスター又はホーム加入者サーバーである請求項１２に記載の通信システム。
【請求項１４】
上記第１ネットワークは、ローミング中のユーザが訪問するネットワークであり、そして上記第２ネットワークは、ユーザのホームネットワークである請求項２ないし１３のいずれかに記載の通信システム。
【請求項１５】
上記付加的な情報は、課金に関連した情報である請求項２ないし１４のいずれかに記載の通信システム。
【請求項１６】
上記付加的な情報は、サービスクラスに関連した情報である請求項２ないし１５のいずれかに記載の通信システム。
【請求項１７】
上記付加的な情報は、訪問先ネットワーク又はネットワーク要素の使用可能なサービス能力を定義する請求項２ないし１６のいずれかに記載の通信システム。
【請求項１８】
上記付加的な情報は、タームゾーンである請求項２ないし１７のいずれかに記載の通信システム。
【請求項１９】
上記付加的な情報は、訪問先ネットワーク又はネットワーク要素のサービスインターワーキング命令である請求項２ないし１８のいずれかに記載の通信システム。
【請求項２０】
上記付加的な情報は、その付加的な情報を含む第１ネットワークの制御要素のアドレス又はそれを指すポインタである請求項２ないし１９のいずれかに記載の通信システム。
【請求項２１】
上記第１及び／又は第２ネットワークは、パケットベースのネットワーク、好ましくはＩＰベースのネットワークである請求項２ないし２０のいずれかに記載の通信システム。
【請求項２２】
第１ネットワークにアタッチできる少なくとも１つの第１ネットワーク要素を備え、この第１ネットワーク要素は、上記第１ネットワークの第２ネットワーク要素に接続することができ、この第２ネットワーク要素は、第２ネットワークに配置された第３ネットワーク要素にアクセスすることができる通信システム内で実行される方法において、
上記第１ネットワーク要素は、第１メッセージを上記第２ネットワーク要素へ送信して、上記第１ネットワークに登録するか、或いはその第１ネットワークの第３又は第４ネットワーク要素に接続されるようにし、
上記第２ネットワーク要素は、第２メッセージを上記第３ネットワーク要素へ送信し、この第２メッセージは、上記第１ネットワーク要素から上記第４ネットワーク要素への接続の取り扱い又は処理に関連するか、或いは更に別のネットワーク要素のアドレス又はそれを識別する識別子に関連した付加的な情報を含み、上記更に別のネットワーク要素は、上記第１ネットワーク要素から第４ネットワーク要素への接続の取り扱い又は処理に関連した情報より成るデータベースを含むか又はそれにアクセスすることができ、そして
上記第３ネットワーク要素は、上記付加的な情報を使用して、接続を取り扱うか又は１つ以上の接続関連ファンクションを処理し、又は更に別のネットワーク要素にアクセスし、或いは上記付加的な情報を記憶しそして要求に応じてそれを供給する、
という段階を備えた方法。
【請求項２３】
上記メッセージは、プロトコルメッセージである請求項２２に記載の方法。
【請求項２４】
上記プロトコルは、セッション開始プロトコル（ＳＩＰ）である請求項２３に記載の方法。
【請求項２５】
上記プロトコルメッセージは、「インバイト」又は「レジスター」メッセージである請求項２３又は２４に記載の方法。
【請求項２６】
上記第１ネットワーク要素は、ローミング中ユーザのユーザ装置である請求項２２ないし２５のいずれかに記載の方法。
【請求項２７】
上記第２ネットワーク要素は、プロキシサーバー、好ましくは、第１ネットワークのプロキシＣＳＣＦである請求項２２ないし２６のいずれかに記載の方法。
【請求項２８】
上記第２ネットワーク要素は、リダイレクションサーバーである請求項２２ないし２６のいずれかに記載の方法。
【請求項２９】
上記第３ネットワーク要素は、上記第２ネットワークの制御手段である請求項２２ないし２８のいずれかに記載の方法。
【請求項３０】
上記第２ネットワークの制御手段は、サービングＣＳＣＦである請求項２９に記載の方法。
【請求項３１】
上記第３ネットワーク要素は、第２ネットワークに対する加入者に関する情報を記憶するレジスターであるか又はそれを備えている請求項２２ないし３０のいずれかに記載の方法。
【請求項３２】
上記レジスターは、ホーム位置レジスター又はホーム加入者サーバーである請求項３１に記載の方法。
【請求項３３】
上記第１ネットワークは、ローミング中のユーザが訪問するネットワークであり、そして上記第２ネットワークは、ユーザのホームネットワークである請求項２２ないし３２のいずれかに記載の方法。
【請求項３４】
上記付加的な情報は、課金に関連した情報である請求項２２ないし３３のいずれかに記載の方法。
【請求項３５】
上記付加的な情報は、サービスクラスに関連した情報である請求項２２ないし３４のいずれかに記載の方法。
【請求項３６】
上記付加的な情報は、訪問先ネットワーク又はネットワーク要素の使用可能なサービス能力を定義する請求項２２ないし３５のいずれかに記載の方法。
【請求項３７】
上記付加的な情報は、タームゾーンである請求項２２ないし３６のいずれかに記載の方法。
【請求項３８】
上記付加的な情報は、訪問先ネットワーク又はネットワーク要素のサービスインターワーキング命令である請求項２２ないし３７のいずれかに記載の方法。
【請求項３９】
上記付加的な情報は、その付加的な情報を含む第１ネットワークの制御要素のアドレス又はそれを指すポインタである請求項２２ないし３８のいずれかに記載の方法。
【請求項４０】
上記第３ネットワーク要素は、上記付加的な情報を受信した後、上記第１ネットワーク要素が接続されることを要求するネットワーク要素に関する情報を送信するように上記制御要素に要求し、上記制御要素は、それに応答して、このような情報を返送する請求項３９に記載の方法。
【請求項４１】
上記第１及び／又は第２ネットワークは、パケットベースのネットワーク、好ましくはＩＰベースのネットワークである請求項２２ないし４０のいずれかに記載の方法。
【請求項４２】
好ましくは請求項２ないし２１のいずれかに記載の通信システムに使用するか、又は請求項２２ないし４１のいずれかに記載の方法に使用するためのネットワーク要素であって、別のネットワークに配置された別のネットワーク要素にアクセスすることのできるネットワーク要素において、
このネットワーク要素は、ネットワークへの登録を要求するか又は別のネットワーク要素又は付加的なネットワーク要素へ接続されることを要求する第１メッセージを更に別のネットワーク要素から受信したときに、第２メッセージを上記別のネットワーク要素へ送信し、この第２メッセージは、上記更に別のネットワーク要素から上記付加的なネットワーク要素への接続の取り扱い又は処理に関連するか、或いは更に別のネットワーク要素のアドレス又はそれを識別する識別子に関連した付加的な情報を含み、上記更に別のネットワーク要素は、上記付加的なネットワーク要素への接続の取り扱い又は処理に関連した情報より成るデータベースを含むか又はそれにアクセスすることができるように構成されたネットワーク要素。
【請求項４３】
上記ネットワーク要素は、プロキシサーバーである請求項４２に記載のネットワーク要素。
【請求項４４】
上記ネットワーク要素は、リダイレクションサーバーである請求項４２に記載のネットワーク要素。
【請求項４５】
好ましくは請求項２ないし２１のいずれかに記載の通信システムに使用するか、又は請求項２２ないし４１のいずれかに記載の方法に使用するためのネットワーク要素であって、他のネットワーク要素間の接続を制御するように働きそして別のネットワーク要素によりアクセスすることができるネットワーク要素において、
このネットワーク要素は、他のネットワーク要素間の接続の取り扱い又は処理に関連するか、或いは更に別のネットワーク要素のアドレス又はそれを識別する識別子に関連した付加的な情報を上記別のネットワーク要素から受信し、上記更に別のネットワーク要素は、更に別のネットワーク要素への接続の取り扱い又は処理に関連した情報より成るデータベースを含むか又はそれにアクセスすることができ、或いは
上記ネットワーク要素は、上記付加的な情報を使用して、接続を取り扱うか又は１つ以上の接続関連ファンクションを処理し、又は更に別のネットワーク要素にアクセスし、或いは上記付加的な情報を記憶しそして要求に応じてそれを供給するように構成されたネットワーク要素。
【請求項４６】
上記ネットワーク要素は、ネットワークの制御手段である請求項４５に記載のネットワーク要素。
【請求項４７】
上記制御手段は、サービングＣＳＣＦである請求項４６に記載のネットワーク要素。